(57)【要約】【課題】アスベストを含有床材剥離作業により発生する粉塵の飛散を効率よく抑制でき、もって小型軽量の車体を用いてアスベスト含有床材の剥離が可能となるアスベスト含有床材剥離装置を提供する。【解決手段】作業車体と、この作業車体に取付けられたアスベスト剥離手段と、このアスベスト剥離手段の剥離作業部を覆うカバー３０と、このカバー３０に吸引部４５が取付けられ、アスベスト剥離手段による作業中に発生する粉塵を吸引する吸引手段とを備える。吸引手段は、剥離作業中に発生する粉塵のみを除去する。【選択図】図１
2007132071.tif 000002
【特許請求の範囲】
【請求項１】
作業車体と、この作業車体に取付けられた床材剥離手段と、この床材剥離手段の剥離作業部を覆うカバーと、このカバーに吸引部が取付けられ、前記床材剥離手段による作業中に発生する粉塵のみを吸引する吸引手段とを備えることを特徴とするアスベスト含有床材剥離装置。
【請求項２】
請求項１に記載のアスベスト含有床材剥離装置において、
前記床材剥離作業によるアスベスト粉塵の飛散を防止する液体噴霧手段をさらに備えたことを特徴とするアスベスト含有床材剥離装置。
【請求項３】
請求項１または２に記載のアスベスト含有床材剥離装置において、
前記作業車体は自走式であることを特徴とするアスベスト含有床材剥離装置。
【発明の詳細な説明】
【技術分野】
【０００１】
本発明は、アスベストを含有する床材を剥離する装置に関する。
【背景技術】
【０００２】
従来、建物の床材の剥離作業は人手に任されていたが、近年、効率向上のため、機械化が行なわれるようになってきている。このような床材を剥離する作業機械として、特許文献１に開示された床材剥離機は、走行体のフレームに上下位置および姿勢調整自在に床材剥離装置を取付け、作業機械を走行させながら刃体により床材を剥離するものである。
【０００３】
また、特許文献２にはアスベスト床タイル除去装置が開示されており、この装置は、電動ハンマによりアスベスト床タイルを小割りする手段と、小割りした床タイルを剥離する手段と、小割りしかつ剥離されたタイルをアスベストの粉塵と共に吸引する手段とを備えたものである。
【０００４】
【特許文献１】特許第３０８８０９４号公報
【特許文献２】特開２００１-４０８８４号公報
【発明の開示】
【発明が解決しようとする課題】
【０００５】
特許文献１に記載のように、刃体により床材を剥離する構成の床材剥離機においては、床材の剥離時に床材から生じる粉塵が飛散してしまうため、アスベストを含有する床材の場合、オペレータや近隣に健康被害を発生させる恐れがある。
【０００６】
特許文献２に記載のものは、アスベストの粉塵を吸引処理するので、前記問題を軽減しえるが、しかし、タイルの剥離部や小割部が大気に開放されているため、剥離作業や小割作業の際に発生するアスベストの粉塵を発生させないようにするためには強力は吸引装置が必要になる。また、小割りしたタイル片の吸引移送を行なうため、強力な吸引力を必要とする上、破断片を収容しておくための大容量の回収装置も必要となり、装置全体が大型化し、狭い建物の内部への搬入自体も困難になるという問題点がある。
【０００７】
本発明は、上記問題点に鑑み、剥離作業により発生する粉塵の飛散を効率よく抑制でき、もって小型軽量の車体を用いてアスベスト含有床材の剥離が可能となるアスベスト含有床材剥離装置を提供することを目的とする。
【課題を解決するための手段】
【０００８】
請求項１のアスベスト含有床材剥離装置は、作業車体と、この作業車体に取付けられた床材剥離手段と、この床材剥離手段の剥離作業部を覆うカバーと、このカバーに吸引部が取付けられ、前記床材剥離手段による作業中に発生する粉塵のみを吸引する吸引手段とを備えることを特徴とする。
【０００９】
請求項２のアスベスト含有床材剥離装置は、前記床材剥離装置において、
床材剥離作業によるアスベスト粉塵の飛散を防止する液体噴霧手段をさらに備えたことを特徴とする。
【００１０】
請求項３のアスベスト含有床材剥離装置は、前記床材剥離装置において、
前記作業車体が自走式であることを特徴とする。
【発明の効果】
【００１１】
請求項１の発明によれば、アスベスト含有床材の剥離作業により発生した粉塵のみを吸引するように構成したので、剥離したアスベスト含有床材の吸引手段とその回収装置は不要となり、吸引手段や回収装置が粉塵用のもののみですむため、吸引手段や回収装置が小型のものですみ、小型の車体により構成できる。また、剥離作業部をカバーで覆ったため、吸引手段に必要とされる吸引力は小さなものですむ。
【００１２】
請求項２の発明によれば、床材剥離作業により発生するアスベスト粉塵の飛散を防止する液体噴霧手段をさらに備えたので、アスベスト粉塵の飛散をよりよく抑制できる。
【００１３】
請求項３の発明によれば、前記車体を自走式車体としたので、床材剥離作業を行なう場所に容易に移動することができ、作業能率を上げることができる。
【発明を実施するための最良の形態】
【００１４】
図１は本発明によるアスベスト含有床材剥離装置の一実施の形態を示す側面図、図２はその平面図である。１は無限軌道式走行体である。走行体１のフレーム１ａ上には上部フレーム２を設置する。上部フレーム２上には油圧パワーユニット３、操作装置４ａおよび運転席４などを搭載する。これら走行体１、上部フレーム２、油圧パワーユニット３、運転席４、操作装置４ａにより作業車体を構成する。
【００１５】
図３の側面図に示すように、走行体フレーム１ａには、アスベスト含有床材剥離手段である剥離装置本体５を取付けるためのブラケット６を設ける。このブラケット６にピン７により、上下揺動可能に剥離装置本体５の取付けアーム８を取付ける。このアーム８の先端と剥離装置本体５のハウジング９に設けたブラケット９ａとをピン１０により連結する。また、アーム８の中間部と、上部フレーム２に設けたブラケット１１との間に、アーム８を上下動させる第１の油圧シリンダ１２を、ピン１３，１４により連結して取付ける。また、ブラケット１１の上部とハウジング９の上面に設けたブラケット９ｂとの間に、第２の油圧シリンダ１６を、ピン１７，１９により連結して取付ける。
【００１６】
剥離装置本体５のハウジング９はボックス状をなし、その前端には、軸２０を中心に前後揺動自在に刃体取付け体２１を取付け、その先端に刃体２２を設ける。
【００１７】
２３は前記ハウジング９にばねあるいは弾性ゴム（図示せず）により可動に取付けた起振装置である。この起振装置２３は、ハウジング９内に可動に取付けたフレーム２８に、油圧モータ２５と、この油圧モータ２５にベルト２６により回転される偏心錘２７とを取付けてなり、フレーム２８に刃体取付け体２１が係合される。従って油圧モータ２５の作動によって偏心錘２７を回転させることにより、フレーム２８を振動させて軸２０を中心にして刃体取付け体２１および刃体２２を前後に振動させるものである。
【００１８】
３０は前記剥離装置本体５の剥離作業部、すなわち剥離装置本体５の少なくとも前部を覆うように設けられる下面開口のカバーである。前記ハウジング９の上面にはねじ孔を有するブラケット３１を設け、このブラケット３１に、後述の配管４９の取付けアーム３３と共にカバー３０の天板部３４をボルトまたはねじ３５により固定してカバー３０が取付けられる。
【００１９】
カバー３０の天板部３４、側板部３６および前板部（図示せず）には剥離作業部を外部から目視するための透明板３７を取付ける。また、カバー３０の側板部３６および前版部の下縁には、カバー３４と床面との間の隙間を閉じるためのゴム板３９をボルトまたはねじ４０により取付ける。カバー３０の背面部は開口されており、この開口部もボルトまたはねじ４１により取付けられるゴム板４２で覆う。
【００２０】
４３は前記上部フレーム２上に搭載された吸引機であり、この吸引機４３に接続された吸引ホース４４の先端はカバー３０の天板部３４に設けた吸引部４５に接続される。前記吸引機４３および吸引ホース４４により吸引手段を構成する。
【００２１】
４６は上部フレーム２上に搭載したタンクであり、このタンク４６は剥離作業部を湿潤化するための水あるいは他の液体を溜めておくものである。４７はこのタンク４６に溜めた液体を配管４９およびノズル５０を介して床面に噴霧するためのポンプである。前記タンク４６、ポンプ４７、配管４９およびノズル５０により液体噴霧手段を構成する。
【００２２】
このアスベスト含有床材剥離装置により床材剥離作業を行なう場合は、第1の油圧シリンダ１２および第２の油圧シリンダ１６の伸縮量調整により剥離装置本体５、すなわち刃体２２の角度および高さを調整し、かつ刃体２２を床材に食い込ませ、油圧モータ２５の作動により偏心錘２７を回転させて振動を発生させ、軸２０を中心に刃体２２を前後に振動させながら、走行体１の作動によりこの剥離装置を走行させながら床材の剥離作業を行なう。また、カバー３０内の空気を吸引機４３により吸引することにより、床材剥離作業により発生する粉塵を吸引部４５から吸引ホース４４を介して吸引機４３中に吸引する。
【００２３】
ここで、吸引機４３によるカバー３０内の空気を吸引することにより、剥離された床材の破断片は吸引せず、粉塵のみが吸引される理由は、粉塵と破断片との重量差による。また、カバー３０の天板部３４（カバー３０の前版部、側板部あるいは背面でもよい。）のように、刃体２２（剥離作業部）から離間させた位置に吸引部４５を設けることにより、分断された破断片を吸い込まず、粉塵のみを吸い込ませることができる。吸引機４３中に空気と共に吸引された粉塵は吸引機３内のフィルタにより除塵する。
【００２４】
前記床材剥離作業において、カバー３０に取付けられたゴム板３９，４２は床面とカバー３０との間の隙間を塞ぎ、粉塵の周囲への飛散を防ぐ。また、ポンプ４７を作動させることにより、タンク４６に溜めた水または噴霧用液体をノズル５０から床面に噴霧して床面から剥離された破断片や床材を湿潤化して床面からの粉塵の飛散を防止する。なお、剥離され、破断され。湿潤化された破断片は人手により除去する。
【００２５】
本発明のアスベスト含有床材剥離装置は、アスベスト含有床材の剥離作業により発生した粉塵のみを吸引するように構成したので、吸引ホース４４や吸引機４３等の吸引手段や回収装置が、粉塵のみ用のものですむため、吸引手段や回収装置が小型のものですみ、小型の車体を用いて構成できる。また、剥離作業部をカバー３０で覆ったため、吸引機４３により構成される吸引手段に必要とされる吸引力は小さなものですむ。
【００２６】
また、本実施の形態においては、床材剥離作業による粉塵の飛散を防止するため、タンク４５、ポンプ４７、配管４９、ノズル５０からなる液体噴霧手段をさらに備えたので、粉塵の飛散をよりよく抑制できる。また、アスベスト含有床材剥離装置を構成する車体を自走式車体としたので、剥離作業を行なう場所に容易に移動することができ、作業能率を上げることができる。
【図面の簡単な説明】
【００２７】
【図１】本発明によるアスベスト含有床材剥離装置の一実施の形態を示す側面図である。
【図２】図１の平面図である。
【図３】本実施の形態の剥離作業部とその姿勢制御装置を示す側面図である。
【符号の説明】
【００２８】
１：走行体、１ａ：走行体フレーム、２：上部フレーム、３：油圧パワーユニット、４：運転席、５：剥離装置本体、６：ブラケット、８：アーム、９：ハウジング、９ａ，９ｂ：ブラケット、１１：ブラケット、１２：第１の油圧シリンダ、１６：第２の油圧シリンダ、２０：軸、２１：刃体取付け体、２２：刃体、２３：起振装置、２５：油圧モータ、２６：ベルト、２７：偏心錘、２８：フレーム、３０：カバー、３１：ブラケット、３３：取付けアーム、３４：天板部、３５：ボルトまたはねじ、３６：側板部、３７：透明板、３９，４２：ゴム板、４０，４１：ボルトまたはねじ、４３：吸引機、４４：吸引ホース、４５：吸引部、４６：タンク、４７：ポンプ、４９：配管、５０：ノズル
【図１】
2007132071.tif 000003
【図２】
2007132071.tif 000004
【図３】
2007132071.tif 000005